(57)【要約】【課題】本発明は光源から照射される光を走査して画像を形成する画像形成装置に関し、構造の単純化及び小型化を図ることを課題とする。【解決手段】レーザ光源１１と、焦点位置を調整可能な構成とされると共にレーザ光源１１から照射される光をスクリーン１３に焦点合わせする液体レンズ１２と、この液体レンズ１２を駆動するレンズ駆動装置１４とを有し、このレンズ駆動装置１４により液体レンズ１２を駆動して焦点位置Ｐを走査させることにより、スクリーン１３上に画像を形成する。【選択図】図２
2009047852.tif 000002
【特許請求の範囲】
【請求項１】
光源と、
焦点位置を調整可能な構成とされており、前記光源から照射される光を像面に焦点合わせする液体レンズと、
該液体レンズを駆動する駆動手段とを有し、
前記駆動手段により前記液体レンズを駆動して前記焦点位置を走査させることにより、前記光源からの光を前記像面上で走査させ画像を形成する画像形成装置。
【請求項２】
前記駆動手段は、
前記液体レンズに配設された複数の電極と、
該複数の電極に個別に電圧印加を行う電圧制御手段とを有する請求項１に記載の画像形成装置。
【請求項３】
前記電圧制御手段は、
前記光が水平方向に走査するよう前記電極に電圧印加する水平方向電圧制御部と、
前記光が垂直方向に走査するよう前記電極に電圧印加する垂直方向電圧制御部と、
前記水平方向電圧制御部と前記垂直方向電圧制御部とを制御する主制御部とにより構成される請求項２に記載の画像形成装置。
【請求項４】
前記複数の電極を同心円状に配置した請求項１乃至３のいずれか一項に記載の画像形成装置。
【請求項５】
前記複数の電極は、同心円状に複数列にわたって設けられている請求項４に記載の画像形成装置。
【請求項６】
前記複数の電極を格子状に配置した請求項１乃至３のいずれか一項に記載の画像形成装置。
【請求項７】
前記液体レンズとして、前記焦点位置を水平方向に走査させる第１の液体レンズと、前記焦点位置を垂直方向に走査させる第２の液体レンズを設けた請求項１乃至６のいずれか一項に記載の画像形成装置。
【請求項８】
前記光源はレーザ光源である請求項１乃至７のいずれか一項に記載の画像形成装置。
【請求項９】
前記電極は透明電極である請求項１乃至８のいずれか一項に記載の画像形成装置。
【発明の詳細な説明】
【技術分野】
【０００１】
本発明は画像形成装置に係り、特に光源から照射される光を走査させて画像を形成する画像形成装置に関する。
【背景技術】
【０００２】
従来から用いられてきた画像を表示するための表示装置は、ブラウン管（ＣＲＴ）タイプのものが一般的であった。これに替わって近年では、ＬＣＤ（液晶表示装置）、やＰＤＰ（プラズマディスプレイパネル）が用いられる場面が多くなってきている。
【０００３】
しかし、ＬＣＤやＰＤＰは小型化に限界があるため、携帯が可能な程度に小型化が容易である、プロジェクタータイプの表示装置（以下、プロジェクターという）がモバイル対応の表示装置として着目されている。プロジェクターは、所定の画像をスクリーンに拡大して投映して表示する表示装置である。このプロジェクターは、プロジェクター本体にスクリーンを含まない構造であるため、小型化・軽量化が容易であるというメリットがある。
【０００４】
プロジェクターの一例を図１に示す。同図に示すプロジェクターは、光源１から照射されるレーザ光を、Ｘ方向とＹ方向の走査に対応するポリゴンミラー２，３等で走査してスクリーン６に投影する構造になっている。尚、ポリゴンミラーに替えて、ガルバノミラーが用いられる場合もある。
【特許文献１】特開平２−２２１９９５号公報
【発明の開示】
【発明が解決しようとする課題】
【０００５】
しかし、ポリゴンミラーやガルバノミラーを用いる場合には、２つのミラーを走査する直交する２方向（Ｘ方向、Ｙ方向）に対応して正確に配置する必要があり、表示装置の構造が複雑になって製造コストが高くなる問題があった。また、駆動する２つのミラーを搭載する必要があるために、プロジェクターを小型化する上での問題となっていた。
【０００６】
本発明は上記の点に鑑みてなされたものであり、構造が単純であって小型化が容易な画像形成装置を提供することを目的とする。
【課題を解決するための手段】
【０００７】
上記の課題は、本発明の第１の観点からは、
光源と、
焦点位置を調整可能な構成とされており、前記光源から照射される光を像面に焦点合わせする液体レンズと、
該液体レンズを駆動する駆動手段とを有し、
前記駆動手段により前記液体レンズを駆動して前記焦点位置を走査させることにより、前記光源からの光を前記像面上で走査させ画像を形成する画像形成装置により解決することができる。
【０００８】
また、上記発明において、前記駆動手段は、前記液体レンズに配設された複数の電極と、該複数の電極に個別に電圧印加を行う電圧制御手段とを有する構成としてもよい。
【０００９】
また、上記発明において、前記電圧制御手段は、前記光が水平方向に走査するよう前記電極に電圧印加する水平方向電圧制御部と、前記光が垂直方向に走査するよう前記電極に電圧印加する垂直方向電圧制御部と、前記水平方向電圧制御部と前記垂直方向電圧制御部とを制御する主制御部とにより構成してもよい。
【００１０】
また、上記発明において、前記複数の電極を同心円状に配置した構成としてもまた複数の電極を同心円状に複数列にわたって設けた構成としてもよい。
【００１１】
また、上記発明において、前記複数の電極を格子状に配置した構成としてもよい。
【００１２】
また、上記発明において、前記液体レンズとして、前記焦点位置を水平方向に走査させる第１の液体レンズと、前記焦点位置を垂直方向に走査させる第２の液体レンズを設けた構成してもよい。
【００１３】
また、上記発明において、前記光源をレーザ光源としてもよい。
【００１４】
また、上記発明において、前記電極を透明電極としてもよい。
【発明の効果】
【００１５】
本発明によれば、液体レンズを駆動手段により駆動して像面上における焦点位置を走査させることにより光源からの光を走査させ画像を形成するため、光を走査させる手段は液体レンズのみでよいため、画像形成装置の構造の単純化及び小型化を図ることができる。
【発明を実施するための最良の形態】
【００１６】
次に、本発明を実施するための最良の形態について図面と共に説明する。
【００１７】
図２は、本発明の一実施例である画像形成装置１０Ａの構成図である。本実施例では、画像形成装置１０Ａをプロジェクタータイプの表示装置に適用した例について説明する。この画像形成装置１０Ａは、大略するとレーザ光源１１，液体レンズ１２，スクリーン１３，レンズ駆動装置１４等により構成されている。
【００１８】
レーザ光源１１は例えばレーザダイオード等の光源であり、画像形成を行うレーザ光を照射するものである。このレーザ光源１１は、画像形成制御装置１５により制御される光源駆動装置１６に接続されている。また、画像形成制御装置１５は入力されるビデオ信号に基づき画像情報を生成すると共に、生成された画像情報に基づき光源駆動装置１６を制御する。これによりレーザ光源１１は、画像情報が重畳されたレーザ光をスクリーン１３（像面）に向け照射する。
【００１９】
液体レンズ１２は、図３及び図４に示すように、ハウジング１９、レンズ形成液体２０、及び電極２１Ａ〜２１Ｈ，２２Ａ〜２２Ｈ，２３Ａ〜２３Ｈ等により構成されている。この液体レンズ１２は、電極２１Ａ〜２１Ｈ，２２Ａ〜２２Ｈ，２３Ａ〜２３Ｈに印加する電圧によってレンズ形成液体２０が変形し、これにより光の屈折率を変化させる特性を有するものである。
【００２０】
ハウジング１９は円筒状の部材であり、絶縁材料により形成されている。レンズ形成液体２０は、このハウジング１９の内部に配設されている。
【００２１】
レンズ形成液体２０は、特性の異なる第１の液体２９（水性）と第２の液体２５（油性）とにより構成されている。電極２１Ａ〜２１Ｈ，２２Ａ〜２２Ｈ，２３Ａ〜２３Ｈに均一な電圧が印加されている場合は、第１の液体と第２の液体はハウジング１９内に均一に存在する状態となっている（以下、この状態を基準状態という）。
【００２２】
しかしながら、電極２１Ａ〜２１Ｈ，２２Ａ〜２２Ｈ，２３Ａ〜２３Ｈに印加される電圧が加わると、第１の液体は電極２１Ａ〜２１Ｈ，２２Ａ〜２２Ｈ，２３Ａ〜２３Ｈに印加される電圧の強さに応じて電極２１Ａ〜２１Ｈ，２２Ａ〜２２Ｈ，２３Ａ〜２３Ｈに近づくように変位する。これにより、第２の液体は第１の液体に押し出されるように変位し、よってレンズ形成液体２０の形状が変化して屈折率及び焦点位置Ｐが変化する。
【００２３】
一方、本実施例では電極として、最内周に配置された８個の電極２１Ａ〜２１Ｈと、中央に配置された８個の電極２２Ａ〜２２Ｈと、最外周に配置された８個の電極２３Ａ〜２３Ｈとを有した構成とされている。よって、電極２１Ａ〜２１Ｈ、電極２２Ａ〜２２Ｈ、及び電極２３Ａ〜２３Ｈは同心円状に複数列にわたって配置された構成とされている。この各電極２１Ａ〜２１Ｈ，２２Ａ〜２２Ｈ，２３Ａ〜２３Ｈは液体レンズ１２の底面部に環状に形成されており、またレーザ光源１１からの光が入射される中央位置を除いた外周近傍位置に配設されている。
【００２４】
また、８個の電極２１Ａ〜２１Ｈは４５°の等間隔で配置されており、同様に電極２２Ａ〜２２Ｈ及び電極２３Ａ〜２３Ｈも４５°の等間隔で配置されている。更に、電極２１Ａ，２２Ａ，２３Ａの組はハウジング１９の半径方向に一列に配置されており、同様に電極２１Ｂ，２２Ｂ，２３Ｂ〜電極２１Ｈ，２２Ｈ，２３Ｈの各組についても半径方向に一列に配置された構成とされている。
【００２５】
上記各電極２１Ａ〜２１Ｈ，２２Ａ〜２２Ｈ，２３Ａ〜２３Ｈは、レンズ駆動装置１４に接続されている。レンズ駆動装置１４は、個々の電極２１Ａ〜２１Ｈ，２２Ａ〜２２Ｈ，２３Ａ〜２３Ｈに対して個別に印加する電圧を制御する構成とされている。
【００２６】
レンズ駆動装置１４は、図４に示すように水平方向電圧制御装置１７と垂直方向電圧制御装置１８とにより構成されると共に、各電極２１Ａ〜２１Ｈ，２２Ａ〜２２Ｈ，２３Ａ〜２３Ｈはこの水平及び垂直方向電圧制御装置１７，１８の双方に接続されている。また、水平方向電圧制御装置１７及び垂直方向電圧制御装置１８は画像形成制御装置１５に接続されており、画像形成制御装置１５からの画像制御信号に基づき各電極２１Ａ〜２１Ｈ，２２Ａ〜２２Ｈ，２３Ａ〜２３Ｈに対して印加する電圧を個別に制御する構成とされている。
【００２７】
画像形成制御装置１５に入力されるビデオ信号には、水平同期信号と垂直同期信号が含まれている。画像形成制御装置１５は水平同期信号に基づき水平方向電圧制御装置１７を制御し、垂直同期信号に基づき垂直方向電圧制御装置１８を制御する。
【００２８】
これにより、各電極２１Ａ〜２１Ｈ，２２Ａ〜２２Ｈ，２３Ａ〜２３Ｈに対し、水平同期信号と垂直同期信号に対応した電圧印加が行われる。具体的には、水平方向電圧制御装置１７が駆動することにより液体レンズ１２で形成される焦点位置Ｐは矢印Ｘ１，Ｘ２方向に移動し、また垂直方向電圧制御装置１８が駆動することにより液体レンズ１２で形成される焦点位置Ｐは矢印Ｙ１，Ｙ２方向に移動する（図７参照）。
【００２９】
以下に、本実施例で使用可能な液体レンズ１２の具体的な仕様の一例を記載する。
・外形：10.5mm（直径）×2.5mm（厚さ）
・焦点距離：5cm〜∞
・400〜700波長の透過率：80〜90％
・動作周波数：1kHz
・消費電力：1Mw未満
・界面形状変化に要する時間：最大0.1秒
・動作温度範囲：−25℃〜＋60℃
・保証回数：100万回
続いて、レンズ駆動装置１４及び画像形成制御装置１５により制御される液体レンズ１２の動作について図５乃至図７を用いて説明する。
【００３０】
尚、図５乃至図７において各電極２１Ａ〜２１Ｈ，２２Ａ〜２２Ｈ，２３Ａ〜２３Ｈに印加されている電圧の大きさは、電極２１Ａ〜２１Ｈ，２２Ａ〜２２Ｈ，２３Ａ〜２３Ｈに記載した梨地の濃さにより示している。即ち、図５（Ｄ）に示すように印加電圧が小さい場合は薄く表示し、印加電圧が大きい場合には濃く示している。
【００３１】
図５（Ａ）〜（Ｃ）は、電極２１Ａ〜２１Ｈに均一な同一電圧Ｖ１が印加され、また電極２２Ａ〜２２Ｈにも同一電圧Ｖ２が印加され、電極２３Ａ〜２３Ｈにも同一電圧Ｖ３が印加された状態を示している。また各電圧値は、Ｖ１>Ｖ２>Ｖ３となるよう設定されている。尚、Ｖ１，Ｖ２，Ｖ３の具体的な値は、例えばＶ１＝６０Ｖ，Ｖ２＝３０Ｖ，Ｖ３＝０Ｖである
このように、環状に配置された電極２１Ａ〜２１Ｈ、電極２２Ａ〜２２Ｈ、及び電極２３Ａ〜２３Ｈにそれぞれ同一電圧Ｖ１，Ｖ２，Ｖ３を印加することにより、液体レンズ１２にはＸ１，Ｘ２方向及びＹ１，Ｙ２方向に偏りのない均一な電圧が印加された状態（基準状態）となる。
【００３２】
この基準状態では、前記のようにレンズ形成液体２０を構成する第１の液体と第２の液体はハウジング１９内に均一に存在する状態となっている。具体的には、レンズ形成液体２０の中心位置（Ｘ１，Ｘ２方向と、Ｙ１，Ｙ２方向が交差する位置）に対して対称な形状となっており、かつ図５（Ｂ）に示すように中央部分が上方に向け凸となり凸レンズを構成する。
【００３３】
この基準状態では、焦点位置Ｐと界面形状の頂点位置Ｔは一致している。また焦点位置Ｐは、液体レンズ１２の中心軸Ｏ（ハウジング１９の中心軸と等しい）に一致した状態となっている。尚、ここで界面形状の頂点位置Ｔとは、電圧印加により変形するレンズ形成液体２０の表面形状において、液体レンズ１２の底部から最も高く突出した位置をいう。
【００３４】
図６（Ａ）〜（Ｃ）は、電極２１Ａ〜２１Ｈ、電極２１Ａ〜２１Ｈ、及び電極２１Ａ〜２１Ｈに不均一な電圧が印加された状態を示している。同図に示す例では、電極２１Ａ，２１Ｂ，２１Ｈに電圧Ｖ４を印加すると共に電極２１Ｃ〜２１Ｇに電圧Ｖ５を印加し（Ｖ４≠Ｖ５）、同様に電極２２Ａ，２２Ｂ，２２Ｈに電圧Ｖ６を印加すると共に電極２２Ｃ〜２２Ｇに電圧Ｖ７を印加している（Ｖ６≠Ｖ７）。尚、同図に示す例では最外周の電極２３Ａ〜２３Ｈについては同一の電圧Ｖ８を印加している。具体的な電圧値は、例えばＶ４＝１０Ｖ，Ｖ５＝６０Ｖ，Ｖ６＝５Ｖ，Ｖ７＝３０Ｖ，Ｖ８＝０Ｖである。
【００３５】
上記のように電極２１Ａ〜２１Ｈ及び電極２２Ａ〜２２Ｈに不均一な偏った電圧印加を行うと、レンズ形成液体２０は変形して界面形状の頂点位置Ｔは液体レンズ１２の中心軸Ｏからずれた状態となる。図６に示す例では、図６（Ｂ）に示すように界面形状の頂点位置Ｔは液体レンズ１２の中心軸Ｏに対してΔＸ１だけＸ１方向にずれた状態となる。これに伴い、焦点位置Ｐも液体レンズ１２の中心軸Ｏから矢印Ｘ２方向にずれた状態となる（Ｘ１，Ｘ２方向については図６（Ａ）参照）。このように、電極２１Ａ〜２１Ｈ，２２Ａ〜２２Ｈ，２３Ａ〜２３Ｈに印加する電圧を調整することにより、焦点位置Ｐ及び界面形状の頂点位置Ｔを液体レンズ１２の中心軸Ｏから変化させることができる。
【００３６】
図７は、液体レンズ１２をプロジェクタータイプの画像形成装置１０Ａに適用したときにおける、液体レンズ１２の焦点位置Ｐの走査を説明するための図である。同図において（Ａ）〜（Ｇ）は液体レンズの焦点位置を示し、（Ｈ）はスクリーン１３上におけるレーザ光の焦点位置Ｐを示している。
【００３７】
尚、図７では理解を容易とするため、スクリーン１３上に示すＡ〜Ｇで示す各焦点位置と対応する状態の各液体レンズ１２を、スクリーン１３に示された当該焦点位置Ａ〜Ｇの外側に（Ａ）〜（Ｇ）として描いた図としている。
【００３８】
図７（Ａ）は基準状態である液体レンズ１２を示しており、この基準状態ではレーザ光源１１から照射されたレーザ光はスクリーン１３の中心位置（図７（Ｈ）にＡで示す位置）に結像している。
【００３９】
前記したように、液体レンズ１２に配設された各電極２１Ａ〜２１Ｈ，２２Ａ〜２２Ｈ，２３Ａ〜２３Ｈは水平方向電圧制御装置１７に接続されている（図４参照）。基準状態より液体レンズ１２の各電極２１Ａ〜２１Ｈ，２２Ａ〜２２Ｈ，２３Ａ〜２３Ｈに対して焦点位置Ｐが矢印Ｘ１方向に移動するよう電圧を印加すると、図７（Ｄ）に示すように焦点位置Ｐは基準位置からＸ１方向に移動し、よってレーザ光源１１から出射されたレーザ光はスクリーン１３上のＤで示す位置に結像する。
【００４０】
一方、基準状態より液体レンズ１２の各電極２１Ａ〜２１Ｈ，２２Ａ〜２２Ｈ，２３Ａ〜２３Ｈに対して焦点位置Ｐが矢印Ｘ２方向に移動するよう電圧を印加すると、図７（Ｇ）に示すように焦点位置Ｐは基準位置からＸ２方向に移動し、よってレーザ光源１１から出射されたレーザ光はスクリーン１３上のＧで示す位置に結像する。従って、水平方向電圧制御装置１７により電極２１Ａ〜２１Ｈ，２２Ａ〜２２Ｈ，２３Ａ〜２３Ｈに印加する電圧を制御することにより、焦点位置Ｐを水平方向（Ｘ１，Ｘ２方向）に走査させることが可能となる。
【００４１】
また、液体レンズ１２に配設された各電極２１Ａ〜２１Ｈ，２２Ａ〜２２Ｈ，２３Ａ〜２３Ｈは垂直方向電圧制御装置１８にも接続されている（図４参照）。基準状態より液体レンズ１２の各電極２１Ａ〜２１Ｈ，２２Ａ〜２２Ｈ，２３Ａ〜２３Ｈに対して焦点位置Ｐが矢印Ｙ１方向に移動するよう電圧を印加すると、図７（Ｂ）に示すように焦点位置Ｐは基準位置からＹ１方向に移動し、よってレーザ光源１１から出射されたレーザ光はスクリーン１３上のＢで示す位置に結像する。
【００４２】
一方、基準状態より液体レンズ１２の各電極２１Ａ〜２１Ｈ，２２Ａ〜２２Ｈ，２３Ａ〜２３Ｈに対して焦点位置Ｐが矢印Ｙ２方向に移動するよう電圧を印加すると、図７（Ｆ）に示すように焦点位置Ｐは基準位置からＹ２方向に移動し、よってレーザ光源１１から出射されたレーザ光はスクリーン１３上のＦで示す位置に結像する。従って、垂直方向電圧制御装置１８により電極２１Ａ〜２１Ｈ，２２Ａ〜２２Ｈ，２３Ａ〜２３Ｈに印加する電圧を制御することにより、焦点位置Ｐを垂直方向（Ｙ１，Ｙ２方向）に走査させることが可能となる。
【００４３】
従って、水平方向電圧制御装置１７及び垂直方向電圧制御装置１８により電極２１Ａ〜２１Ｈ，２２Ａ〜２２Ｈ，２３Ａ〜２３Ｈに対して水平走査制御用の電圧と垂直走査制御用の電圧とを同時に印加することにより、液体レンズ１２によりレーザ光源１１から照射されるレーザ光を焦点位置Ｐをスクリーン１３上で垂直方向及び水平方向の各方向に対して走査させることができ、スクリーン１３上のいかなる位置においてもレーザ光を焦点合わせすることができる。具体的には、焦点位置Ｐを図７（Ｇ）にＣやＥで示す位置において焦点合わせすることができる。
【００４４】
よって、ビデオ信号が入力される画像形成制御装置１５により、当該ビデオ信号に含まれる垂直及び水平同期信号に基づき、水平及び垂直方向電圧制御装置１７，１８を用いて液体レンズ１２を駆動制御し、焦点位置Ｐを垂直同期信号及び水平同期信号に同期させて走査させると共に、レーザ光源１１から照射されるレーザ光に画像情報を重畳させることにより、スクリーン１３上にビデオ信号に対応した画像を形成することが可能となる。
【００４５】
上記のように本実施例に係る画像形成装置１０Ａは、液体レンズ１２を用いてレーザ光源１１からのレーザ光をスクリーン１３上で走査させる構成としたことにより、従来のポリゴンミラーやガルバノミラーを用いてレーザ光を走査する構成に比べて構成が簡単化すると共に、ミラー等の位置決めを行うための微細な調整が不要となる。よって、画像形成装置１０Ａの組み立てが容易となり、またコスト低減を図ることができる。
【００４６】
また上記のように画像形成装置１０Ａはガルバノミラーやポリゴンミラー等の比較的大きな部品を装置内に配設する必要がなくなるため、画像形成装置１０Ａの小型化・軽量化も可能となる。更に、液体レンズ１２は、その駆動において機械的な動作を含まないため、静かでかつ消費電力の低減を図ることができる。
【００４７】
図８及び図９は、電極の他の配設例を示している。上記した実施例では電極２１Ａ〜２１Ｈ，２２Ａ〜２２Ｈ，２３Ａ〜２３Ｈが同心円状でかつ４５°の等間隔で配置されることにより放射状に延在する構成とした。これに対して図８に示す実施例では、電極としてマトリックス状電極２４を用いた構成としている。この構成とすることにより、液体レンズ１２の焦点位置Ｐの設定精度を高めることができる。
【００４８】
また、図９に示す実施例は、電極をマトリックス状に配置すると共に各電極を透明電極２５としたものである。この構成とすることにより、レーザ光源１１から入射されるレーザ光が電極により遮られることを防止でき、スクリーン１３に生成される画像の品質を高めることができる。また、図８に示した構成に比べ、焦点位置の選択性の向上を図ることができる。
【００４９】
図１０は、図２に示した画像形成装置１０Ａの変形例である画像形成装置１０Ｂを示す構成図である。画像形成装置１０Ａは、ひとつの液体レンズ１２によりレーザ光源１１から照射されるレーザ光を水平方向（Ｘ方向）及び垂直方向（Ｙ方向）の双方に走査する構成としていた。
【００５０】
これに対して本変形例に係る画像形成装置１０Ｂは、水平方向液体レンズ１２Ａと垂直方向液体レンズ１２Ｂの２個の液体レンズを用いたことを特徴としている。水平方向液体レンズ１２Ａは水平方向電圧制御装置１７に接続されており、レーザ光源１１から照射されるレーザ光を水平方向（Ｘ方向）に走査させる機能を奏する。また、垂直方向液体レンズ１２Ｂは垂直方向電圧制御装置１８に接続されており、レーザ光源１１から照射されるレーザ光を垂直方向（Ｙ方向）に走査させる機能を奏する。
【００５１】
このように、水平方向液体レンズ１２Ａと垂直方向液体レンズ１２Ｂを用いることにより垂直方向と水平方向の走査を独立して行うことにより、精度の高い走査が可能となり、よってスクリーン１３に形成される画像の品質をより高めることが可能となる。
【００５２】
以上、本発明の好ましい実施例について詳述したが、本発明は上記した特定の実施形態に限定されるものではなく、特許請求の範囲に記載された本発明の要旨の範囲内において、種々の変形・変更が可能なものである。
【図面の簡単な説明】
【００５３】
【図１】図１は、従来の一例である画像形成装置の構成図である。
【図２】図２は、本発明の一実施例である画像形成装置の構成図である。
【図３】図３は、本発明の一実施例である画像形成装置に用いる液体レンズを示す図であり、（Ａ）は平面図、（Ｂ）は（Ａ）におけるＡ−Ａ線に沿う断面図である。
【図４】図４は、本発明の一実施例である画像形成装置に設けられる電極を説明するための構成図である。
【図５】図５は、焦点位置が中心位置にある状態の液体レンズを示す図であり、（Ａ）は平面図、（Ｂ）は断面図、（Ｃ）は電圧印加状態を合わせて示す底面図、（Ｄ）は図における電圧の図示方法を説明するための図である。
【図６】図６は、焦点位置が中心位置からずれた状態の液体レンズを示す図であり、（Ａ）は平面図、（Ｂ）は断面図、（Ｃ）は電圧印加状態を合わせて示す底面図である。
【図７】図７は、液体レンズの焦点位置の走査を説明するための図であり、（Ａ）〜（Ｇ）は液体レンズの焦点位置を示し、（Ｈ）はスクリーン上における焦点位置Ｐを示している。
【図８】図８は、電極としてマトリックス状電極を用いた液体レンズを示す図である。
【図９】図９は、電極として透明電極を用いた液体レンズを示す図である。
【図１０】図１０は、図２に示した画像形成装置の変形例である画像形成装置の構成図である。
【符号の説明】
【００５４】
１０Ａ  画像形成装置
１０Ｂ  画像形成装置
１１  レーザ光源
１２  液体レンズ
１２Ａ  水平方向液体レンズ
１２Ｂ  垂直方向液体レンズ
１３  スクリーン
１４  レンズ駆動装置
１５  画像形成制御装置
１６  光源駆動装置
１７  水平方向電圧制御装置
１８  垂直方向電圧制御装置
１９  ハウジング
２０  レンズ形成液体
２１Ａ〜２１Ｈ，２２Ａ〜２２Ｈ，２３Ａ〜２３Ｈ  電極
２４  マトリックス状電極
２５  透明電極
【図１】
2009047852.tif 000003
【図２】
2009047852.tif 000004
【図１０】
2009047852.tif 000005
【図３】
2009047852.tif 000006
【図４】
2009047852.tif 000007
【図５】
2009047852.tif 000008
【図６】
2009047852.tif 000009
【図７】
2009047852.tif 000010
【図８】
2009047852.tif 000011
【図９】
2009047852.tif 000012